(57)【要約】【課題】    衝撃緩和機能及び通気性機能を備えるとともに、歩行中に靴の中で足を安定させる安定性機能を兼ね備えたものであって、長時間履き続けた場合であっても疲労を防止できる靴及び靴の中敷を提供すること。【解決手段】    靴が、ソール部材１と中底部材２と中敷クッション部材３とアッパー部材４とからなる。ソール部材１は踵部を除く全面に複数の通気孔１ｂが設けられている。中底部材２は非透水性と通気性を両立させた素材により形成されている。中敷クッション部材３は、全面に複数の貫通孔を設けた中敷シート材３０を有し、土踏まずに相当する位置に人の土踏まず形状に似せた土踏まず固定部材３１を貼着し、他の部分及び踵部にシリコンゴム等の弾性力を有する中敷クッション板材３２を貼着したものである。靴内には空気のみが出入するだけで水の浸入は阻止される。【選択図】    図１
0003164211.tif 000002
【実用新案登録請求の範囲】
【請求項１】
靴が、ソール部材（１）と、中底部材（２）と、中敷部材（３）と、アッパー部材（４）とからなり、上記ソール部材（１）は通気孔（１ｂ）を設けたものであり、上記中底部材（２）は非透水性機能と通気性機能の両機能を有する素材により形成したものであり、上記中敷部材（３）は、複数の貫通孔（３０ａ）を設けた中敷シート材（３０）を有し、該中敷シート材の土踏まずに相当する位置に、断面形状が人の土踏まず形状に似せた形状を呈するアーチ型足載せ部（３１ａ）を形成した土踏まず固定部材（３１）を貼着し、さらに当該中敷シート材にシリコンゴム等の弾性力を有する中敷クッション板材（３２）を貼着したものであって、靴内は、上記中底部材の防水性機能と通気性機能の両機能により空気のみが出入するだけで水の浸入を阻止できることを特徴とする靴。
【請求項２】
土踏まず固定部材（３１）は、プラスチック材又はシリコンゴム材等による成型品であって、踵から土踏まずに至る範囲をカバーする大きさを有し、人の土踏まずに相当する位置に靴内に向って盛り上がり形状を呈するアーチ型足載せ部（３１ａ）を形成し、踵部から土踏まず部分までの周縁に立ち上がり形状となる踵側縁部（３１ｂ）を形成したことを特徴とする請求項１に記載の靴。
【請求項３】
中敷クッション板材（３２）は、中敷シート材（３０）の爪先部及び踵部に貼着したものであり、シリコンゴム等の弾性力を有するシート素材（３２ａ）を使用しており、表面に断面半球状の半球突起（３２ｂ）を隙間なく接合し、該各半球突起が接合して形成される各谷部に通気孔（３２ｃ）を設けたことを特徴とする請求項１又は２に記載の靴。
【請求項４】
中敷クッション板材（３２）は、爪先用クッション材（３２Ａ）と踵用クッション材（３２Ｂ）からなり、上記爪先用クッション材（３２Ａ）を中敷シート材（３０）の裏面爪先部に貼着し、上記踵用クッション材（３２Ｂ）を裏面踵部に貼着することを特徴とする請求項３に記載の靴。
【請求項５】
踵用クッション材（３２Ｂ）は、土踏まず固定部材（３１）の踵部に設けたクッション材挿入窓（３１ｃ）に嵌めこんで中敷シート材（３０）に貼着することを特徴とする請求項４に記載の靴。
【請求項６】
中底部材（２）は、非透水性と通気性の両機能を奏するゴアテックス（商標）又はエントラント（商標）等により形成されていることを特徴とする請求項１から５のいずれかに記載の靴。
【請求項７】
中底部材（２）の強度を高める必要がある場合は、ソール部材（１）と上記中底部材との間に補強用中底シート（５）を設けたことを特徴とする請求項１から６のいずれかに記載の靴。
【請求項８】
中敷が、中敷シート材（３０）と土踏まず固定部材（３１）と中敷クッション板材（３２）とからなり、上記中敷シート材（３０）は複数の貫通孔（３０ａ）を設けたものであり、上記土踏まず固定部材（３１）は、人の土踏まず形状に似せた形状を呈するアーチ型足載せ部（３１ａ）を形成して上記中敷シート材（３０）の土踏まずに相当する位置に貼着したものであり、上記中敷クッション板材（３２）は、シリコンゴム等の弾性力を有するシート素材を使用し、表面に断面半球状の半球突起（３２ｂ）を隙間なく接合し、該各半球突起が接合して形成される各谷部に通気穴（３２ｃ）を設けたことを特徴とする靴の中敷。
【請求項９】
中敷クッション板材（３２）が、爪先用クッション材（３２Ａ）と踵用クッション材（３２Ｂ）からなり、中敷シート材（３０）の裏面の爪先部に上記爪先用クッション材（３２Ａ）を貼着し、上記踵用クッション材（３２Ｂ）を踵部に貼着することを特徴とする請求項８に記載の靴の中敷。
【請求項１０】
踵用クッション材（Ｂ３２）は、土踏まず固定部材（３１）の踵部に設けたクッション材挿入窓（３１ｃ）に嵌めこんで中敷クッション板材（３２）に貼着することを特徴とする請求項９に記載の靴の中敷。
【請求項１１】
中底部材（２）は、非透水性と通気性の両機能を奏するゴアテックス（商標）又はエントラント（商標）等により形成されていることを特徴とする請求項８から１０のいずれかに記載の靴の中敷。
【考案の詳細な説明】
【技術分野】
【０００１】
本考案は「靴及び靴の中敷」に関しており、詳しくは、衝撃緩和機能と通気性機能並びに靴内における足の安定を図る部材を設けたものであって、三種の異なる機能性を組み合わせることにより、長時間履き続けても疲労を防止でき、さらに通気性機能を向上させた靴及び靴の中敷に関している。
【背景技術】
【０００２】
本願考案者は、特許文献１によって靴の衝撃緩和用弾性シート材を提案した。特許文献１に記載の衝撃緩和用弾性シート材は、シリコンゴム等の衝撃緩和機能を有する素材を用いた衝撃緩和用弾性シート材１からシート基板１０を形成し、該シート基板１０の表面に断面半球形状の半球突起１１を隙間なく形成するとともに、各半球突起１１が接合して形成される各谷部に通気孔１２を設けてシート状成型品とした衝撃緩和シート部材２０を形成し、この衝撃緩和シート部材２０を適宜形状に切り抜いて靴の中敷３０の先端及び／又は踵部に１枚又は複数枚を埋め込んで使用することにより、衝撃緩和機能及び通気性機能の両機能を奏させるものである。
【０００３】
特許文献１に記載された衝撃緩和用弾性シート材は、シート状成型品に形成されたものであるから、靴の大きさ又は種類に応じて任意の形状の弾性シート材が得られることの特徴を有するものである。
【０００４】
ところで、本願考案者自身が体験したところによれば、特許文献１に記載の衝撃緩和用弾性シート材を使用した靴であっても、日常的に長時間履き続けていると僅かではあるが疲労感を覚えることがあった。その原因は、歩行中に靴の中で足が安定していないからであることが判明した。また、衝撃緩和用弾性シート材を使用してより高い通気性機能を得るためには、歩行中に最も圧力が掛かる爪先部分の通気性を高めることが最適であることも判明した。
【０００５】
従来技術中には、特許文献２，３に記載された靴用インソール（中敷）が提案されている。
【０００６】
特許文献２に記載された中敷は、土踏まず部分が、足裏の内外方向に中央部が隆起したアーチ型となっていており、人の土踏まずに接する構造に形成されており、踵部分は、中央部が平面形状であるが、踵から土踏まずに至る外縁に立ち上がり構造を形成したものである。
【０００７】
しかし、特許文献２に記載された中敷は、靴を履いた時に足を靴内に安定よく固定することを目的としているが、全体の形状が踵から土踏まずに至る大きさであるから、中敷が歩行中に動いてしまうことが予測されるものであって、足を安定させバランスよく靴内に固定することができないという問題がある。
【０００８】
特許文献３に記載の中敷は、中敷本体が靴底の形状をしており、踵領域と、踵領域から小指球の手前に至る外側領域と、踵から土踏まずの領域を経て親指球の手前に至る内側領域のいずれの領域にも肉厚部を形成したものである。
【０００９】
この点、特許文献３に記載された中敷は、中敷本体が靴内全域に収容される形状を有しているので使用中に靴内で動くおそれはないが、各領域に形成した肉厚部は、中敷本体に接着剤により接着固定したものであるから、中敷としての断面が厚くなり靴を履いた場合に窮屈感を感じるといった問題を抱えている。
【００１０】
上記以外にも、従来技術中には、ソールに通気孔を設けて通気性を促進させながらも非透水性を確保した靴が、特許文献４，５，６によって提案されている。
【００１１】
しかし、特許文献４，５，６に記載の従来技術では、ソールに通気孔を設ける他に、中底と併せて非透水性及び通気性を有する部材が３〜９層の複数層構造となっており、靴の製造工程が複雑化するという問題がある。
【先行技術文献】
【特許文献】
【００１２】
【特許文献１】特開２００６−３４５８８６号公報
【特許文献２】実用新案登録第３０４２１６０号公報
【特許文献３】実用新案登録第３１５９８５４号公報
【特許文献４】特開平１１−１３７３０２号公報
【特許文献５】特開２０００−１６６６０６号公報
【特許文献６】特表２００４−５１１２８０号公報
【考案の概要】
【考案が解決しようとする課題】
【００１３】
本考案の課題は、衝撃緩和機能と通気性機能並びに靴中における足の安定を図る固定機能の三種の異なる機能性を有する部材を組み合わせることにより、長時間履き続けた場合であっても疲労を防止できるものであって、特に、通気性機能を向上させた靴及び靴の中敷を提供することを目的としている。
【課題を解決するための手段】
【００１４】
解決手段の第１は、靴が、ソール部材と、中底部材と、中敷部材と、アッパー部材とからなり、上記ソール部材は通気孔を設けたものであり、上記中底部材は非透水性機能と通気性機能の両機能を有する素材により形成したものであり、上記中敷部材は、複数の貫通孔を設けた中敷シート材を有し、当該中敷シート材の土踏まずに相当する位置に、断面形状が人の土踏まず形状に似せた形状を呈するアーチ型足載せ部を形成した土踏まず固定部材を貼着し、さらに当該中敷シート材にシリコンゴム等の弾性力を有する中敷クッション板材を貼着したものであって、靴内は、上記中底部材の防水性機能と通気性機能の両機能により空気のみが出入するだけで水の浸入を阻止できることを特徴とするものである。
【００１５】
解決手段の第２は、解決手段の第１において、土踏まず固定部材がプラスチック材又はシリコンゴム材等による成型品であって、踵部から土踏まずに至る範囲をカバーする大きさを有し、人の土踏まずに相当する位置に靴内に向って盛り上がり形状を呈するアーチ型足載せ部を形成し、踵部から土踏まず部分までの周縁に立ち上がり形状となる踵側縁部を形成したことを特徴とするものである。
【００１６】
解決手段の第３は、解決手段の第１又は第２において、中敷クッション板材は、中敷シート材の爪先部及び踵部に貼着したものであり、シリコンゴム等の弾性力を有するシート素材を使用しており、表面に断面半球状の半球突起を隙間なく接合し、該各半球突起が接合して形成される各谷部に通気孔を設けたことを特徴とするものである。
【００１７】
解決手段の第４は、解決手段の第３において、中敷クッション板材は、爪先用クッション材と踵用クッション材からなり、上記爪先用クッション材を中敷シート材の裏面の爪先部に貼着し、上記踵用クッション材を上記中敷シート材の踵部に貼着することを特徴とするものである。
【００１８】
解決手段の第５は、解決手段の第４において、踵用クッション材は、土踏まず固定部材の踵部に設けたクッション材挿入窓に嵌めこんで中敷シート材に貼着することを特徴とするものである。
【００１９】
解決手段の第６は、解決手段の第１から第５のいずれかにおいて、中底部材が、非透水性と通気性の両機能を奏するゴアテックス（商標）又はエントラント（商標）等により形成されていることを特徴とするものである。
【００２０】
解決手段の第７は、解決手段の第１から第６のいずれかにおいて、中底部材の強度を高める必要がある場合は、ソール部材と上記中底部材との間に補強用中底シートを設けたことを特徴とするものである。
【００２１】
解決手段の第８は、中敷が、中敷シート材と土踏まず固定部材と中敷クッション板材とからなり、上記中敷シート材は複数の貫通孔を設けたものであり、上記土踏まず固定部材は、人の土踏まず形状に似せた形状を呈するアーチ型足載せ部を形成して上記中敷シート材の土踏まずに相当する位置に貼着したものであり、上記中敷クッション板材は、シリコンゴム等の弾性力を有するシート素材を使用し、表面に断面半球状の半球突起を隙間なく接合し、該各半球突起が接合して形成される各谷部に通気穴を設けたことを特徴とするものである。
【００２２】
解決手段の第９は、解決手段の第８において、中敷クッション板材が、爪先用クッション材と踵用クッション材からなり、中敷シート材の裏面の爪先部に上記爪先用クッション材を貼着し、上記踵用クッション材を踵部に貼着することを特徴とするものである。
【００２３】
解決手段の第１０は、解決手段の第９において、踵用クッション材は、土踏まず固定部材の踵部に設けたクッション材挿入窓に嵌めこんで中敷クッション板材に貼着することを特徴とする請求項９に記載の靴の中敷。
【００２４】
解決手段の第１１は、解決手段の第８から１０のいずれかにおいて、中底部材が、非透水性と通気性の両機能を奏するゴアテックス（商標）又はエントラント（商標）等により形成されていることを特徴とするものである。
【考案の効果】
【００２５】
請求項１は、中底部材が非透水性と通気性を有しているから、靴底部分から靴内に空気と水が浸入するが、靴の内部には空気のみが出入するだけで水の侵入は阻止されるものである。また、中敷部材が、衝撃緩和機能を奏する中敷クッション板材を有しているから、歩行中に発生する衝撃を緩和すると同時に、ポンプ作用によって強制的に靴内の空気を排気又は吸入するので靴内が蒸れるのを改善できるとともに、土踏まずに相当する位置に人の土踏まず形状に似せた形状を有する土踏まず固定部材を設けたものであるから、靴を履いた時に、土踏まずのアーチ部分を靴に安定よく固定できるものであり、長時間履き続けた場合であっても疲労を防止できる効果を奏するものである。
【００２６】
この他、請求項１は、中敷部材に、衝撃緩和機能、通気性機能、足の固定機能が集中するように形成したものであるから、靴のソール部分を薄くすることができるだけでなく、靴の軽量化を可能にし、かつ、靴のファッション性の低下を回避できるものであって、ビジネスシューズを始めパンプス等にも適用可能なものとなっている。
【００２７】
請求項２は、土踏まず固定部材がプラスチック材又はシリコンゴム材等による成型品であり、アーチ型足載せ部が靴内に向って盛り上がり形状に形成されており、踵部から土踏まず部分までの周縁に立ち上がり形状となる踵側縁部が形成されていることにより、足を前後左右から支えているので、靴内で安定よく固定できることの効果がある。
【００２８】
請求項３は、中敷クッション板材を中敷シート材の爪先部及び踵部に貼着したものであるから衝撃緩和機能を奏するものであることは勿論のこと、特に爪先部分に貼着したことにより、通常の衝撃緩和機能を有する靴よりも足全体への衝撃緩和機能及び通気性機能が向上することの効果がある。
【００２９】
請求項４は、中敷クッション板材が、爪先用クッション材と踵用クッション材からなるものであるから、衝撃緩和機能を必要とする位置にのみ貼着することができ、無駄のない中敷部材を得ることが可能となるものである。
【００３０】
請求項５は、踵用クッション材を土踏まず固定部材の踵部に形成したクッション材挿入窓に嵌めこんで中敷シート材に貼着したものであるから、中敷部材の衝撃緩和機能を有効に発揮させることができるとともに、中敷部材の断面を薄く形成することができるものである。
【００３１】
請求項６は、中底部材が、非透水性と通気性の両機能を奏するゴアテックス（商標）又はエントラント（商標）等により形成されているので、靴の構造が単純化できることの効果を奏するものである。
【００３２】
請求項７は、補強用中底シート材を中底部材に重合することにより靴底の強度を高めることができる効果を有するものである。
【００３３】
請求項８は、中敷に、衝撃緩和機能、通気性機能、足の固定機能が集中するように形成したものであるから、靴のソール部分を薄くすることができ、靴の軽量化を可能にし、かつ、靴のファッション性の低下を回避できるものであって、ビジネスシューズを始めパンプス等にも適用可能なものである。
【００３４】
請求項９は、中敷クッション板材が、爪先用クッション材と踵用クッション材からなるものであるから、衝撃緩和機能を必要とする位置にのみ貼着することができ、無駄のない中敷部材を得ることが可能となるものである。
【００３５】
請求項１０は、踵用クッション材を土踏まず固定部材の踵部に形成したクッション材挿入窓に嵌めこんで中敷クッション板材に貼着したものであるから、中敷の断面を薄く形成することができるものである。
【００３６】
請求項１１は、中底部材が、非透水性と通気性の両機能を奏するゴアテックス（商標）又はエントラント（商標）等により形成されているので、靴の中敷の構造が単純化できることの効果を奏するものである。
【図面の簡単な説明】
【００３７】
【図１】靴を構成する各部材の分解斜視図。
【図２】中敷部材の各部を示す分解斜視図。
【図３】中敷部材に組み込む土踏まず固定部材を示しており、Ａは平面図、Ｂは中央部縦断面図、Ｃは踵部の断面図。
【図４】中敷部材に組み込む中敷クッション板材に使用する素材を示しており、Ａは平面図、Ｂは断面図。
【図５】靴の中央部縦断面図。
【図６】靴の土踏まず部縦断面図。
【考案を実施するための形態】
【００３８】
図１において、本考案の靴は、ソール部材１、中底部材２、中敷部材３、アッパー部材４とからなるものである。
【００３９】
実施形態において、靴は、中底部材２をアッパー部材４につり込んだ後、セメント式等の成型法によりソール部材１と一体成型したものであり、中敷部材３を、いわゆる中敷として、靴内部において中底部材２の上面に載置して使用するものである。
【００４０】
なお、中底部材２の強度を高める必要がある場合には、中底部材２に、メッシュ状に成型された補強用中底シート材５を貼着することが考えられる。
【００４１】
ソール部材１は、踵部１ａを除く全面に複数の通気孔１ｂを設けたものであり、また、中底部材２は、非透水性と通気性を両立させた素材により形成したものであって、歩行中は、ソール部材１の通気孔１ｂから靴内に空気と水が浸入するが、中底部材２が通気性と防水性を確保しているから、靴の内部は空気のみが出入するだけであり水の浸入は阻止されるものである。
【００４２】
図２を参照して、中敷部材３は、低反発ウレタン等による中敷シート材３０を有しており、該中敷シート材３０の全面に複数の貫通孔３０ａを設けるとともに、踵部分から土踏まず部分に相当する位置の裏面に土踏まず固定部材３１を貼着し、さらに、爪先部及び踵部の裏面にシリコンゴム等による中敷クッション板材３２を貼着したものである。
【００４３】
図３を参照して、土踏まず固定部材３１は、人の踵から土踏まず周辺をカバーする大きさに形成されており、断面形状を人の土踏まず形状に似せて形成したものであり、土踏まずに相当する位置、すなわち、右足用の場合は爪先に向って左寄りに、左足用は爪先に向って右寄りに、靴内に向って盛り上がり形状を呈するアーチ型足載せ部３１ａを形成したものである。なお、踵部分から土踏まず部近傍までの周縁に立ち上がり形状となる周側縁部３１ｂを形成している。図中、３１ｃはクッション材挿入窓である。
【００４４】
土踏まず固定部材３１は、硬めのプラスチック材又はシリコンゴム等による成型品であり、アーチ型足載せ部３１ａが、人の土踏まず形状に似せた形状に成型されており、靴を履いた時、靴内に向って盛り上った部分において土踏まず部を下方から支える硬さを有しているので、靴と足を安定よく保持することができ、長時間履き続けた場合であっても疲労を防止することができるものとなっている。
【００４５】
また、図４を参照して、中敷クッション板材３２は、特許文献１に記載された衝撃緩和用弾性シートを利用したものであって、シリコンゴム等の弾性力を有するクッションシート素材３２ａを有しており、表面に断面半球状の半球突起３２ｂを隙間なく接合し、該各半球突起３２ｂによって形成される各谷部に通気穴３２ｃを設けたものであって、衝撃緩和機能と通気性機能の両機能を奏するものである。
【００４６】
ここで、中敷クッション板材３２は、爪先用クッション材３２Ａと踵用クッション材３２Ｂからなり、中敷シート材３０の爪先部裏面に爪先用クッション材３２Ａを貼着し、踵用クッション材３２Ｂを中敷シート材３０の踵部裏面に貼着する。
【００４７】
実施形態において、爪先用クッション材３２Ａは、土踏まず固定部材３１と重複しない範囲に貼着しているが、一部が土踏まず固定部材３１と重複することは妨げない。また、踵用クッション材３２Ｂは、土踏まず固定部材３１の踵部分に重ねて貼着してもよいが、土踏まず固定部材３１の踵部分にクッション材挿入窓３１ｃを形成し、このクッション材挿入窓３１ｃに嵌め込めば、中敷の厚みが薄くなり使用感が向上するものとなる。
【００４８】
中敷クッション板材３２は、歩行中の着地時に圧縮されることで衝撃力が緩和され、また同時に、圧縮及び復元を繰り返すポンプ作用によって靴内の空気の排出並びに吸入がなされるものである。実施形態においては、ソール部材１に通気孔１ｂを設けるとともに、ソール部材１には非透水性及び通気性を有する中底部材２を重合しているので、中敷部材３（中敷クッション板材３２）のポンプ作用によって、靴内に空気は取り込まれるが水の浸入は阻止され、これにより靴内の蒸れが改善されるものである。
【００４９】
図５，図６を参照して、靴は、ソール部材１に中底部材２及びアッパー部材４を一体化することにより、通気性及び防水性を確保することができるものである。なお、中敷部材３は、靴内部において中底部材２の上面に載置し又は一体的に固定するものである。
【００５０】
本考案の靴は、ソール部材１の通気孔１ｂから靴内に水と空気は進入するが、中底部材２が通気性と防水性を確保しているから、中底部材２の内側となる靴の内部は空気のみが出入するだけであり水の浸入は阻止される。これと同時に、中敷部材３の中敷クッション板材３２が、歩行中に発生する衝撃を緩和して疲労を防止するだけでなく、土踏まず固定部材３１によって歩行中の足を靴に固定させているので、長時間履き続けた場合であっても疲労を防止できる効果を奏するものである。
【００５１】
また、本考案の中敷を単独で使用した場合においても、歩行中に発生する衝撃を緩和して疲労を防止するだけでなく、歩行中の足を靴に安定よく固定させる効果があり、衝撃緩和作用と相俟って疲労を防止する効果を奏するものである。
【実施例１】
【００５２】
中底部材２は、非透水性と通気性能の両機能を奏するゴアテックス（商標）又はエントラント（商標）等により形成して靴及び中敷の構造を単純化している。
【００５３】
補強中底シート材５は、木綿、ナイロン繊維、金属ワイヤー等によるメッシュ状に成型したものである。
【００５４】
中敷部材３の中敷クッション板材３２は、特許文献１に記載されたものである。すなわち、同文献において「衝撃緩和シート部材２０」として提案されたものと同一部材であって、シリコンゴム等の衝撃緩和機能を有するシート材（図示しない）から任意の形状に切抜き形成したものである。
【００５５】
土踏まず固定部材３１は、硬めのプラスチック材又はシリコンゴム材等により成型されたものであり、靴内において土踏まず部を下方から支える硬さを有している。
【符号の説明】
【００５６】
１  ソール部材
１ａ  踵部
１ｂ  通気孔
２  中底部材
３  中敷部材
３０  中敷シート材
３０ａ  貫通孔
３１  土踏まず固定部材
３１ａ  アーチ型足載せ部
３１ｂ  周側縁部
３１ｃ  クッション材挿入窓
３２  中敷クッション板材
３２ａ  クッションシート素材
３２ｂ  半球突起
３２ｃ  通気穴
４  アッパー部材
５  補強用中底シート材
【図１】
0003164211.tif 000003
【図２】
0003164211.tif 000004
【図３】
0003164211.tif 000005
【図４】
0003164211.tif 000006
【図５】
0003164211.tif 000007
【図６】
0003164211.tif 000008